(57)【要約】【課題】マクロセルに在圏するＣＳＧセルの非登録移動局に対する干渉の影響を低減する。【解決手段】本発明に係る無線基地局ＨｅＮＢは、Ｃｌｏｓｅｄモード又はＨｙｂｒｉｄモードで運用されている場合に、かかるセルの登録移動局から受信したＣＱＩに基づいて、かかるセルにおける下りリンク信号の送信電力を制御するように構成されている送信電力制御部１４を具備する。【選択図】図３
2011193091.tif 000002
【特許請求の範囲】
【請求項１】
無線基地局であって、
前記無線基地局が、配下のセルの非登録移動局に対して移動通信サービスを提供しない所定モードで運用されている場合に、該セルの登録移動局から受信した品質情報に基づいて、該セルにおける下りリンク信号の送信電力を制御するように構成されている送信電力制御部を具備することを特徴とする無線基地局。
【請求項２】
前記無線基地局が、前記所定モードとして、前記セルの登録移動局及び非登録移動局のそれぞれに対して差別化して移動通信サービスを提供することができるＨｙｂｒｉｄモードで動作している場合には、前記送信電力制御部は、上位ノードから、該セル内に登録移動局が存在することを検出した場合に、該登録移動局から受信した品質情報に基づいて、該セルにおける下りリンク信号の送信電力を制御するように構成されていることを特徴とする請求項１に記載の無線基地局。
【請求項３】
前記送信電力制御部は、前記セルの全ての登録移動局が測定処理を行う際に用いるセル専用参照信号の送信電力を制御するように構成されていることを特徴とする請求項１に記載の無線基地局。
【請求項４】
複数のサブフレームによって構成されている無線フレームを用いて下りリンク信号を送信するように構成されている送信部を具備し、
前記無線基地局が、前記所定モードとして、前記セルの登録移動局に対してのみ移動通信サービスを提供することができるＣｌｏｓｅｄモードで動作している場合で、かつ、該セル内の全ての登録移動局が、Ｉｄｌｅ状態である場合に、前記送信部は、前記複数のサブフレームの少なくとも一部のサブフレームにおける下りリンク信号の送信を停止するように構成されていることを特徴とする請求項１に記載の無線基地局。
【請求項５】
複数のサブフレームによって構成されている無線フレームを用いて下りリンク信号を送信するように構成されている送信部を具備し、
前記無線基地局が、前記所定モードとして、前記セルの登録移動局に対してのみ移動通信サービスを提供することができるＣｌｏｓｅｄモードで動作している場合で、かつ、該セル内の全ての登録移動局が、Ｉｄｌｅ状態である場合に、前記送信部は、前記複数のサブフレームの一部において設定されているＭＢＳＦＮサブフレームにおいて、下りリンク信号の送信を停止するように構成されていることを特徴とする請求項１に記載の無線基地局。
【請求項６】
複数のサブフレームによって構成されている無線フレームを用いて下りリンク信号を送信するように構成されている送信部を具備し、
前記無線基地局が、前記所定モードとして、前記セルの登録移動局に対してのみ移動通信サービスを提供することができるＣｌｏｓｅｄモードで動作している場合で、かつ、該セル内の全ての登録移動局が、Ｉｄｌｅ状態である場合に、前記送信部は、前記複数のサブフレームのうち、ＭＩＢ、ＳＩＢ１及びＳＩＢ２を送信するサブフレーム以外のサブフレームにおいて、下りリンク信号の送信を停止するように構成されていることを特徴とする請求項１に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式の移動通信システムでは、ＣＳＧ（Ｃｌｏｓｅｄ  Ｓｕｂｓｃｒｉｂｅｒ  Ｇｒｏｕｐ）セルを管理する無線基地局ＨｅＮＢ（Ｈｏｍｅ-ｅＮＢ）及びマクロセルを管理する無線基地局ｅＮＢが混在することが可能である。
【先行技術文献】
【非特許文献】
【０００３】
【非特許文献１】３ＧＰＰ  ＴＳ３６.３００（Ｖ９.２.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｏｖｅｒａｌｌ  Ｄｅｓｃｒｉｐｔｉｏｎ  Ｓｔａｇｅ  ２  （Ｒｅｌｅａｓｅ  ９）」、２００９年１２月
【発明の概要】
【発明が解決しようとする課題】
【０００４】
しかしながら、ＬＴＥ-Ａｄｖａｎｃｅｄ方式の移動通信システムにおいて、図４に示すように、Ｃｌｏｓｅｄモードで運用されている無線基地局ＨｅＮＢ＃１は、ＣＳＧセル＃１の登録移動局（ＣＳＧ  ｍｅｍｂｅｒ  ＵＥ）、例えば、移動局ＵＥ＃１に対してのみ移動通信サービスを提供するように構成されている。
【０００５】
すなわち、マクロセル＃２１に在圏するＣＳＧセル＃１の非登録移動局（ｎｏｎ-ＣＳＧ  ｍｅｍｂｅｒ  ＵＥ）、例えば、移動局ＵＥ＃２にとっては、無線基地局ＨｅＮＢ＃１からの信号は、干渉波となってしまうという問題点があった。
【０００６】
同様に、Ｈｙｂｒｉｄモードで運用されている無線基地局ＨｅＮＢ＃１配下のＣＳＧセル＃１内に、多くのＣＳＧセル＃１の登録移動局が在圏しており、無線基地局ＨｅＮＢ＃１が、ＣＳＧセル＃１の非登録移動局に対して移動通信サービスを提供することができない場合にも、マクロセル＃２１に在圏するＣＳＧセル＃１の非登録移動局にとっては、無線基地局ＨｅＮＢ＃１からの信号は、干渉波となってしまうという問題点があった。
【０００７】
そこで、本発明は、上述の課題に鑑みてなされたものであり、マクロセルに在圏するＣＳＧセルの非登録移動局に対する干渉の影響を低減することができる無線基地局を提供することを目的とする。
【課題を解決するための手段】
【０００８】
本発明の第１の特徴は、無線基地局であって、前記無線基地局が、配下のセルの非登録移動局に対して移動通信サービスを提供しない所定モードで運用されている場合に、該セルの登録移動局から受信した品質情報に基づいて、該セルにおける下りリンク信号の送信電力を制御するように構成されている送信電力制御部を具備することを要旨とする。
【発明の効果】
【０００９】
以上説明したように、本発明によれば、マクロセルに在圏するＣＳＧセルの非登録移動局に対する干渉の影響を低減することができる無線基地局を提供することができる。
【図面の簡単な説明】
【００１０】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムの動作を示すシーケンス図である。
【図４】従来の移動通信システムにおける問題点を説明するための図である。
【発明を実施するための形態】
【００１１】
（本発明の第１の実施形態に係る移動通信システムの構成）
図１及び図２を参照して、本発明の第１の実施形態に係る移動通信システムの構成について説明する。
【００１２】
本実施形態に係る移動通信システムは、ＬＴＥ方式の移動通信システムであって、図１に示すように、ＣＳＧセルを管理する無線基地局ＨｅＮＢを具備するように構成されている。
【００１３】
また、本実施形態に係る移動通信システムでは、図４に示すように、ＣＳＧセルを管理する無線基地局ＨｅＮＢ及びマクロセルを管理する無線基地局ｅＮＢが混在しているものとする。
【００１４】
図１の例では、移動局ＵＥ＃１は、ＣＳＧセルの登録移動局（ＣＳＧ  ｍｅｍｂｅｒ  ＵＥ）であり、移動局ＵＥ＃２は、ＣＳＧセルの非登録移動局（ｎｏｎ-ＣＳＧ  ｍｅｍｂｅｒ  ＵＥ）である。
【００１５】
図２に示すように、無線基地局ＨｅＮＢは、モード管理部１１と、受信部１２と、送信部１２と、送信電力制御部１４とを具備している。
【００１６】
モード管理部１１は、無線基地局ＨｅＮＢが動作中のモードを管理するように構成されている。無線基地局ＨｅＮＢは、Ｏｐｅｎモード、Ｃｌｏｓｅｄモード及びＨｙｂｒｉｄモードのいずれかのモードで動作可能である。
【００１７】
ここで、Ｏｐｅｎモードは、ＣＳＧセルの登録移動局及び非登録移動局の両方に対して移動通信サービスを提供することができるモードであり、Ｃｌｏｓｅｄモードは、ＣＳＧセルの登録移動局に対してのみ移動通信サービスを提供することができるモードであり、Ｈｙｂｒｉｄモードは、ＣＳＧセルの登録移動局及び非登録移動局のそれぞれに対して差別化して移動通信サービスを提供することができるモードである。
【００１８】
送信部１２は、ＣＳＧセルにおいて、ＣＳＧセルの登録移動局（及び、無線基地局ＨｅＮＢが、Ｈｙｂｒｉｄモードで運用されている場合には、非登録移動局）に対して、複数のサブフレーム（Ｓｕｂｆｒａｍｅ）によって構成されている無線フレーム（Ｒａｄｉｏ  Ｆｒａｍｅ）を用いて下りリンク信号を送信するように構成されている。
【００１９】
ここで、１サブフレームの時間長は、１ｍｓであり、１無線フレームは、１０サブフレームによって構成される。また、下りリンク信号には、下りリンクデータや、リソース割り当て信号（「ＵＬ  ｇｒａｎｔ」や「ＤＬ  Ａｓｓｉｇｎｍｅｎｔ」）や、上りデータに対する送達確認情報（ＡＣＫ/ＮＡＣＫ）や、セル専用参照信号（Ｃｅｌｌ  Ｓｐｅｃｉｆｉｃ  Ｒｅｆｅｒｅｎｃｅ  Ｓｉｇｎａｌ）や、報知情報等が含まれる。
【００２０】
また、送信部１２は、送信電力制御部１４によって制御された送信電力を用いて、かかる下りリンク信号を送信するように構成されている。
【００２１】
なお、無線基地局ＨｅＮＢが、Ｃｌｏｓｅｄモードで動作している場合で、かつ、ＣＳＧセル内の全ての登録移動局が、Ｉｄｌｅ状態である場合（すなわち、ＣＳＧセルにおいてＲＲＣ（Ｒａｄｉｏ  Ｒｅｓｏｕｒｃｅ  Ｃｏｎｔｒｏｌ）コネクションが設定されている登録移動局が存在しない場合）に、送信部１２は、複数のサブフレームの少なくとも一部のサブフレーム（例えば、６サブフレーム）における下りリンク信号の送信を停止するように構成されていてもよい。
【００２２】
また、無線基地局ＨｅＮＢが、Ｃｌｏｓｅｄモードで動作している場合で、かつ、ＣＳＧセル内の全ての登録移動局が、Ｉｄｌｅ状態である場合に、送信部１２は、複数のサブフレームの一部において設定されているＭＢＳＦＮサブフレーム（ＭＢＭＳ  Ｓｉｎｇｌｅ  Ｆｒｅｑｕｅｎｃｙ  Ｎｅｔｗｏｒｋ）において、下りリンク信号の送信を停止するように構成されていてもよい。
【００２３】
ここで、送信部１２は、各無線フレームを構成するサブフレームのうち、最大で６個のサブフレーム＃１/＃２/＃３/＃６/＃７/＃８において、ＭＢＳＦＮサブフレームを設定可能である。
【００２４】
なお、無線基地局ＨｅＮＢが、Ｃｌｏｓｅｄモードで動作している場合で、かつ、ＣＳＧセル内の全ての登録移動局が、Ｉｄｌｅ状態である場合であっても、ＭＢＳＦＮサービスが提供されている場合には、送信部１２は、ＭＢＳＦＮサブフレームとして設定されているサブフレームにおいて、ＭＢＳＦＮサービスに係る下りリンク信号を送信するように構成されていてもよいし、ＭＢＳＦＮサービスに係る下りリンク信号を送信しないように構成されていてもよい。
【００２５】
また、送信部１２は、各無線フレームを構成するサブフレームのうち、サブフレーム＃０において、報知情報として、ＭＩＢ（Ｍａｓｔｅｒ  Ｉｎｆｏｒｍａｔｉｏｎ  Ｂｌｏｃｋ）を送信し、サブフレーム＃５において、ＳＩＢ（Ｓｙｓｔｅｍ  Ｉｎｆｏｒｍａｔｉｏｎ  Ｂｌｏｃｋ）-１を送信し、サブフレーム＃０若しくは＃５において、ＳＩＢ-２を送信するように構成されている。
【００２６】
したがって、無線基地局ＨｅＮＢが、Ｃｌｏｓｅｄモードで動作している場合で、かつ、ＣＳＧセル内の全ての登録移動局が、Ｉｄｌｅ状態である場合には、送信部１２は、複数のサブフレームのうち、ＭＩＢ、ＳＩＢ１及びＳＩＢ２を送信するサブフレーム＃０/＃５以外のサブフレームにおいて、下りリンク信号の送信を停止するように構成されていてもよい。
【００２７】
受信部１３は、ＣＳＧセル配下の移動局から、複数のサブフレームによって構成されている無線フレームを用いて上りリンク信号を受信するように構成されている。
【００２８】
ここで、受信部１３は、ＣＳＧセルの登録移動局から、所定の品質情報、例えば、ＣＱＩ（Ｃｈａｎｎｅｌ  Ｑｕａｌｉｔｙ  Ｉｎｆｏｒｍａｔｉｏｎ）を受信するように構成されている。
【００２９】
送信電力制御部１４は、無線基地局ＨｅＮＢ配下のＣＳＧセルにおける下りリンク信号の送信電力を制御するように構成されている。
【００３０】
具体的には、無線基地局ＨｅＮＢが、Ｃｌｏｓｅｄモード又はＨｙｂｒｉｄモードで運用されている場合に、ＣＳＧセルの登録移動局から受信したＣＱＩに基づいて、かかるＣＳＧセルにおける下りリンク信号の送信電力を制御するように構成されている。
【００３１】
例えば、無線基地局ＨｅＮＢが、Ｈｙｂｒｉｄモードで動作している場合には、送信電力制御部１４は、移動管理用ノードＭＭＥ（Ｍｏｂｉｌｉｔｙ  Ｍａｎａｇｅｍｅｎｔ  Ｅｎｔｉｔｉｙ）等の上位ノードから、ＣＳＧセル内に登録移動局が存在することを検出した場合に、かかる登録移動局から受信したＣＱＩに基づいて、ＣＳＧセルにおける下りリンク信号の送信電力を制御するように構成されていてもよい。
【００３２】
すなわち、ＣＳＧセルの登録移動局が、ＣＳＧセルに対してＡｔｔａｃｈ処理（位置登録処理）を行った際に、或いは、ＣＳＧセルにハンドオーバしてきた場合に、送信電力制御部１４は、受信部１２を介して、ＣＳＧセル内に登録移動局が存在することを検出したことを示す情報を取得するように構成されていてもよい。
【００３３】
なお、無線基地局ＨｅＮＢが、Ｃｌｏｓｅｄモード又はＨｙｂｒｉｄモードで運用されている場合に、ＣＳＧセルの登録移動局から受信したＣＱＩに基づいて、かかるＣＳＧセルにおけるセル専用参照信号の送信電力を制御するように構成されていてもよい。
【００３４】
ここで、ＣＳＧセルの全ての登録移動局は、セル専用参照信号に基づいて、測定処理（Ｍｅａｓｕｒｅｍｅｎｔ）を行うように構成されており、既存のＬＴＥ方式では、セル専用参照信号の送信電力は、一定となるように規定されている。
【００３５】
また、送信電力制御部１４は、送信部１２を介して送信される報知情報若しくは個別のＲＲＣシグナリングによって、ＣＳＧセルの登録移動局の各々に対して、上述の送信電力の制御結果、すなわち、送信電力の増加指示又は減少指示通知するように構成されていてもよい。
【００３６】
（本発明の第１の実施形態に係る移動通信システムの動作）
図３を参照して、本発明の第１の実施形態に係る移動通信システムの動作について説明する。
【００３７】
図３に示すように、ステップＳ１００１において、無線基地局ＨｅＮＢは、配下のＣＳＧセルにおいて、下りリンク信号を送信し、ステップＳ１００２において、ＣＳＧセルの登録移動局は、受信した下りリンク信号のうち、所定の下りリンク信号（例えば、セル専用参照信号や下りリンクデータ等）を用いて、下りリンクにおける品質情報（例えば、ＣＱＩ）を算出する。
【００３８】
ステップＳ１００３において、ＣＳＧセルの登録移動局は、無線基地局ＨｅＮＢに対して、算出したＣＱＩ等の品質情報を送信する。ここで、ＣＳＧセルの登録移動局は、測定報告（Ｍｅａｓｕｒｅｍｅｎｔ  Ｒｅｐｏｒｔ）によって、かかる品質情報を送信してもよいし、上りリンクで移動局ＵＥ個別の制御情報を送信するＰｈｙｓｉｃａｌ  Ｕｐｌｉｎｋ  Ｃｏｎｔｒｏｌ  Ｃｈａｎｎｅｌ（ＰＵＣＣＨ）若しくは移動局ＵＥの上りユーザデータを送信するＰｈｙｓｉｃａｌ  Ｕｐｌｉｎｋ  Ｓｈａｒｅｄ  Ｃｈａｎｎｅｌ（ＰＵＳＣＨ）の中で、かかる品質情報を送信してもよい。
【００３９】
無線基地局ＨｅＮＢは、ステップＳ１００４において、受信した品質情報に基づいて、ＣＳＧセル内における下りリンク信号の送信電力を決定し、ステップＳ１００５において、決定した送信電力を用いて、かかる下りリンク信号を送信する。
【００４０】
ここで、無線基地局ＨｅＮＢは、下りリンク信号の送信に用いるサブフレームの数を減らしてもよい。
【００４１】
（本発明の第１の実施形態に係る移動通信システムの作用・効果）
本実施形態に係る移動通信システムによれば、無線基地局ＨｅＮＢが、ＣＳＧセルの登録移動局によって通知された品質情報に基づいて、ＣＳＧセルにおいて送信する下りリンク信号の送信電力を制御するように構成されているため、マクロセルに在圏するＣＳＧセルの非登録移動局に対する干渉の影響を低減することができる。
【００４２】
また、本実施形態に係る移動通信システムによれば、ＣＳＧセル内にＲＲＣコネクションを設定しているＣＳＧセルの登録移動局が存在しない場合に、無線基地局ＨｅＮＢは、下りリンク信号の送信に用いるサブフレームの数を減らすことによって、エネルギーセービングを実現することができる。
【００４３】
以上に述べた本実施形態の特徴は、以下のように表現されていてもよい。
【００４４】
本実施形態の第１の特徴は、無線基地局ＨｅＮＢであって、無線基地局ＨｅＮＢが、Ｃｌｏｓｅｄモード又はＨｙｂｒｉｄモード（配下のセルの非登録移動局に対して移動通信サービスを提供しない所定モード）で運用されている場合に、かかるセルの登録移動局から受信したＣＱＩ（品質情報）に基づいて、かかるセルにおける下りリンク信号の送信電力を制御するように構成されている送信電力制御部１４を具備することを要旨とする。
【００４５】
本実施形態の第１の特徴において、無線基地局ＨｅＮＢが、Ｈｙｂｒｉｄモードで動作している場合には、送信電力制御部１４は、上位ノードから、かかるセル内に登録移動局が存在することを検出した場合に、かかる登録移動局から受信したＣＱＩに基づいて、かかるセルにおける下りリンク信号の送信電力を制御するように構成されていてもよい。
【００４６】
本実施形態の第１の特徴において、送信電力制御部１４は、上述のように、無線基地局ＨｅＮＢ配下のセルにおけるセル専用参照信号の送信電力を制御するように構成されていてもよい。
【００４７】
本実施形態の第１の特徴において、無線基地局ＨｅＮＢが、複数のサブフレームによって構成されている無線フレームを用いて下りリンク信号を送信するように構成されている送信部１２を具備し、無線基地局ＨｅＮＢが、Ｃｌｏｓｅｄモードで動作している場合で、かつ、上述のセル内の全ての登録移動局が、Ｉｄｌｅ状態である場合に、送信部１２は、複数のサブフレームの少なくとも一部のサブフレームにおける下りリンク信号の送信を停止するように構成されていてもよい。
【００４８】
本実施形態の第１の特徴において、無線基地局ＨｅＮＢが、複数のサブフレームによって構成されている無線フレームを用いて下りリンク信号を送信するように構成されている送信部１２を具備し、無線基地局ＨｅＮＢが、Ｃｌｏｓｅｄモードで動作している場合で、かつ、上述のセル内の全ての登録移動局が、Ｉｄｌｅ状態である場合に、送信部１２は、複数のサブフレームの一部において設定されているＭＢＳＦＮサブフレームにおいて、下りリンク信号の送信を停止するように構成されていてもよい。
【００４９】
本実施形態の第１の特徴において、無線基地局ＨｅＮＢが、複数のサブフレームによって構成されている無線フレームを用いて下りリンク信号を送信するように構成されている送信部１２を具備し、無線基地局ＨｅＮＢが、Ｃｌｏｓｅｄモードで動作している場合で、かつ、上述のセル内の全ての登録移動局が、Ｉｄｌｅ状態である場合に、送信部１２は、複数のサブフレームのうち、ＭＩＢ、ＳＩＢ１及びＳＩＢ２を送信するサブフレーム以外のサブフレームにおいて、下りリンク信号の送信を停止するように構成されていてもよい。
【００５０】
なお、上述の移動局ＵＥや無線基地局ＨｅＮＢの動作は、ハードウェアによって実施されてもよいし、プロセッサによって実行されるソフトウェアモジュールによって実施されてもよいし、両者の組み合わせによって実施されてもよい。
【００５１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＨｅＮＢ内に設けられていてもよい。また、かかる記憶媒体及びプロセッサは、ディスクリートコンポーネントとして移動局ＵＥや無線基地局ＨｅＮＢ内に設けられていてもよい。
【００５３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００５４】
ＵＥ…移動局
ＨｅＮＢ…無線基地局
１１…モード管理部
１２…送信部
１３…受信部
１４…送信電力制御部
【図１】
2011193091.tif 000003
【図２】
2011193091.tif 000004
【図３】
2011193091.tif 000005
【図４】
2011193091.tif 000006